(57)【要約】【課題】より使い勝手の良い画像形成システムを提供すること。【解決手段】画像形成システム１において、画像形成部２４は、入力される複数の画像データに基づく複数の画像を、複数の搬送速度で搬送される複数のシート上に形成して、複数の印刷物を生成する。印刷順設定部２１Ｄは、前記複数の搬送速度毎に前記複数の画像データの順番が連続している画像形成順を設定する。第１印刷制御部２１Ｅは、前記画像形成順に基づき、前記複数の搬送速度を切り替えつつ前記複数の画像データを前記画像形成部２４に出力する。搬送制御部２１Ｇは、前記画像形成順に基づき、前記複数の印刷物のそれぞれを第１積載部及び第２積載部のいずれかに送り込む。並び替え制御部２１Ｈは、予め定められている前記複数の印刷物の並び順及び前記複数の画像データの前記搬送速度に基づき、前記第２積載部内の前記印刷物を前記第１積載部に移動させる。【選択図】図３
2019055571.tif 000002
【特許請求の範囲】
【請求項１】
入力される複数の画像データに基づく複数の画像を、複数の搬送速度で搬送される複数のシート上に形成して、複数の印刷物を生成する画像形成部と、
前記複数の画像データを受け取り、当該複数の画像データに基づく複数の印刷物の並び順を取得する取得部と、
前記取得部が受け取る前記複数の画像データのそれぞれに前記複数の搬送速度の１つを割り当て、前記複数の画像データを前記画像形成部へと出力する順序である画像形成順を設定し、前記画像形成順においては、前記複数の搬送速度毎に前記複数の画像データの順番が連続している印刷順設定部と、
前記画像形成順に基づいて、前記複数の搬送速度を切り換えつつ前記取得部が受け取っている前記複数の画像データを前記画像形成部に出力する第１印刷制御部と、
前記複数の印刷物を、後処理側搬送経路及び前記後処理側搬送経路から分岐する第１個別経路及び第２個別経路を介して第１積載部及び第２積載部にそれぞれ送り込む後処理側搬送部と、
前記第１個別経路及び前記第２個別経路を選択的に開閉する経路切り換え部と、
前記画像形成順に基づいて前記後処理搬送部及び前記経路切り換え部を制御することにより、前記複数の印刷物のそれぞれが前記第１積載部及び前記第２積載部のいずれかに送り込まれる搬送制御部と、
前記第２積載部内の前記印刷物を前記第２個別経路に送り出す送出部と、
前記並び順及び前記複数の画像データに割り当てられている前記搬送速度に基づき、前記経路切り換え部、前記送出部及び前記後処理側搬送部を制御することにより、前記第２積載部内の前記印刷物を前記第２個別経路を介して前記後処理側搬送経路に移動させ、前記後処理側搬送部を制御することにより、前記後処理側搬送経路上の前記印刷物を前記第１個別経路を介して前記第１積載部に移動させて、前記第１積載部内に前記複数の印刷物が前記並び順に積載される並び替え制御部と、
を備える画像形成システム。
【請求項２】
前記取得部は、前記複数の画像データと共に、前記画像形成順の設定を許可するか否かを示す許可情報を受け取り、
前記許可情報に基づき、前記画像形成順を設定するか否かを判断する判断部と、
前記画像形成順を設定すると前記判断部が判断する場合に、前記並び順に基づいて、前記複数の搬送速度から少なくとも１つを選択し、前記取得部が受け取っている前記複数の画像データを前記画像形成部に出力する第２印刷制御部と、
前記画像形成順を設定すると前記判断部が判断しない場合に、前記印刷順設定部は前記画像形成順を設定する、
請求項１に記載の画像形成システム。
【請求項３】
前記印刷順設定部は、最高速の搬送速度が割り当てられている画像データに前記画像形成順における末尾の順番を設定する、
請求項２に記載の画像形成システム。
【請求項４】
前記第１印刷制御部は、前記複数の搬送速度を昇順に切り換える、
請求項１〜３のいずれかに記載の画像形成システム。
【請求項５】
前記並び順は、前記複数の画像データと共に前記取得部に送信されてくる、又は、前記複数の画像データを前記取得部が受け取る順番である、
請求項１〜４のいずれかに記載の画像形成システム。
【請求項６】
前記取得部は、前記複数の画像データそれぞれの解像度を示す解像度情報を取得し、
前記印刷順設定部は、前記解像度情報に基づき、前記複数の画像データのそれぞれに前記複数の搬送速度の１つを設定する、
請求項１〜５のいずれかに記載の画像形成システム。
【請求項７】
前記画像形成順が設定されることを示す通知データを出力する通知出力部、
を備える請求項１〜６のいずれかに記載の画像形成システム。
【請求項８】
前記第２個別経路、前記第２積載部、前記経路切り換え部及び前記送出部は複数設けられており、
前記複数の第２積載部には互いに異なる前記搬送速度が割り当てられており、
前記複数の経路切り換え部は、前記第１個別経路及び前記複数の第２個別経路を開閉し、
前記搬送制御部が前記画像形成順に基づいて前記後処理搬送部及び前記複数の経路切り換え部を制御することにより、前記複数の印刷物のそれぞれが前記後処理側搬送部によって前記複数の第２積載部に前記搬送速度毎に送り込まれ、
前記複数の送出部は、前記複数の第２積載部内の前記印刷物を前記複数の第２個別経路に送り出し、
前記並び替え制御部が前記並び順及び前記複数の画像データに割り当てられている前記搬送速度に基づき前記複数の送出部を選択しつつ、前記複数の経路切り換え部、前記複数の送出部及び前記後処理側搬送部を制御することにより、前記複数の第２積載部内の前記印刷物のそれぞれを前記第２個別経路を介して前記後処理側搬送経路に移動させるたびに、前記後処理側搬送部を制御することにより、前記後処理側搬送経路上の前記印刷物のそれぞれを前記第１個別経路を介して前記第１積載部に移動させて、前記第１積載部内に前記複数の印刷物が前記並び順に積載される、
請求項１〜７のいずれかに記載の画像形成システム。
【請求項９】
画像形成装置と共に用いられる後処理装置であって、
前記画像形成装置は、
入力される複数の画像データに基づく複数の画像を、複数の搬送速度で搬送される複数のシート上に形成して、複数の印刷物を生成する画像形成部と、
前記複数の画像データを受け取り、当該複数の画像データに基づく複数の印刷物の並び順を取得する取得部と、
前記取得部が受け取っている前記複数の画像データのそれぞれに前記複数の搬送速度の１つを割り当て、前記複数の画像データを前記画像形成部へと出力する順序である画像形成順を設定し、前記画像形成順においては、前記複数の搬送速度毎に前記複数の画像データの順番が連続している印刷順設定部と、
前記画像形成順に基づいて、前記複数の搬送速度を切り換えつつ前記取得部が受け取っている前記複数の画像データを前記画像形成部に出力する第１印刷制御部と、
を備え、
前記後処理装置は、
前記複数の印刷物を、後処理側搬送経路及び前記後処理側搬送経路から分岐する第１個別経路及び第２個別経路を介して第１積載部及び第２積載部にそれぞれ送り込む後処理側搬送部と、
前記第１個別経路及び前記第２個別経路を選択的に開閉する経路切り換え部と、
前記第２積載部内の前記印刷物を前記第２個別経路に送り出す送出部と、
を備え、
前記画像形成装置及び前記後処理装置のいずれかは、
前記画像形成順に基づいて前記後処理搬送部及び前記経路切り換え部を制御することにより、前記複数の印刷物のそれぞれが前記後処理側搬送部によって前記第１積載部及び前記第２積載部のいずれかに送り込まれる搬送制御部と、
前記並び順及び前記複数の画像データに割り当てられている前記搬送速度に基づき、前記経路切り換え部、前記送出部及び前記後処理側搬送部を制御することにより、前記第２積載部内の前記印刷物を前記第２個別経路を介して前記後処理側搬送経路に移動させ、前記後処理側搬送部を制御することにより、前記後処理側搬送経路上の前記印刷物を前記第１個別経路を介して前記第１積載部に移動させて、前記第１積載部内に前記複数の印刷物が前記並び順に積載される並び替え制御部と、
を備える後処理装置。
【発明の詳細な説明】
【技術分野】
【０００１】
本発明は、画像形成システム、及びそれに用いられる後処理装置に関する。
【背景技術】
【０００２】
従来の画像形成装置は、それぞれが搬送速度の指定を伴う複数の画像形成指示を受け取っている場合に、画像形式指示を受け取った順序とは異なり、同じ搬送速度が指定されている画像形成指示に基づく画像形成を連続して実行する場合がある。前記画像形成装置は、画像形成済のシートである印刷物を、画像形成指示毎に分離された態様で複数の排出トレイに排出している（例えば特許文献１を参照）。
【先行技術文献】
【特許文献】
【０００３】
【特許文献１】特開２００５−０１０２９２号公報
【発明の概要】
【発明が解決しようとする課題】
【０００４】
しかしながら、前記画像形成装置は前記印刷物を画像形成順で排出するため、使い勝手の面で問題があった。
【０００５】
例えば、情報処理装置がユーザー操作に従って、複数の印刷物としての並び順が定められている複数の画像データを前記画像形成装置に送信することがある。この場合、前記ユーザーは、前記画像形成装置から前記複数の印刷物を取り出した後、前記並び順に並び替える必要が生じる。
【０００６】
また、前記画像形成装置では、ステープル又はブックレット等を実行する後処理装置を前記画像形成装置に追加することが難しい。
【０００７】
本発明の目的は、より使い勝手の良い画像形成システム及び後処理装置を提供することにある。
【課題を解決するための手段】
【０００８】
本発明の一の局面に係る画像形成システムは、画像形成部と、取得部と、印刷順設定部と、第１印刷制御部と、後処理側搬送部と、経路切り換え部と、搬送制御部と、送出部と、並び替え制御部と、を備える。前記画像形成部は、入力される複数の画像データに基づく複数の画像を、複数の搬送速度で搬送される複数のシート上に形成して、複数の印刷物を生成する。前記取得部は、前記複数の画像データを受け取り、当該複数の画像データに基づく複数の印刷物の並び順を取得する。前記印刷順設定部は、前記取得部が受け取る前記複数の画像データのそれぞれに前記複数の搬送速度の１つを割り当て、前記複数の画像データを前記画像形成部へと出力する順序である画像形成順を設定し、前記画像形成順においては、前記複数の搬送速度毎に前記複数の画像データの順番が連続している。前記第１印刷制御部は、前記画像形成順に基づいて、前記複数の搬送速度を切り換えつつ前記取得部が受け取っている前記複数の画像データを前記画像形成部に出力する。前記後処理側搬送部は、前記複数の印刷物を、後処理側搬送経路及び前記後処理側搬送経路から分岐する第１個別経路及び第２個別経路を介して第１積載部及び第２積載部にそれぞれ送り込む。前記経路切り換え部は、前記第１個別経路及び前記第２個別経路を選択的に開閉する。前記搬送制御部が前記画像形成順に基づいて前記後処理搬送部及び前記経路切り換え部を制御することにより、前記複数の印刷物のそれぞれが前記第１積載部及び前記第２積載部のいずれかに送り込まれる。前記送出部は、前記第２積載部内の前記印刷物を前記第２個別経路に送り出す。前記並び替え制御部は、前記並び順及び前記複数の画像データに割り当てられている前記搬送速度に基づき、前記経路切り換え部、前記送出部及び前記後処理側搬送部を制御することにより、前記第２積載部内の前記印刷物を前記第２個別経路を介して前記後処理側搬送経路に移動させ、前記後処理側搬送部を制御することにより、前記後処理側搬送経路上の前記印刷物を前記第１個別経路を介して前記第１積載部に移動させて、前記第１積載部内に前記複数の印刷物が前記並び順に積載される。
【０００９】
本発明の他の局面に係る後処理装置は、画像形成装置と共に用いられる。前記画像形成装置は、画像形成部と、取得部と、印刷順設定部と、第１印刷制御部と、を備える。前記画像形成部は、入力される複数の画像データに基づく複数の画像を、複数の搬送速度で搬送される複数のシート上に形成して、複数の印刷物を生成する。前記取得部は、前記複数の画像データを受け取り、当該複数の画像データに基づく複数の印刷物の並び順を取得する。前記印刷順設定部は、前記取得部が受け取っている前記複数の画像データのそれぞれに前記複数の搬送速度の１つを割り当て、前記複数の画像データを前記画像形成部へと出力する順序である画像形成順を設定し、前記画像形成順においては、前記複数の搬送速度毎に前記複数の画像データの順番が連続している。前記第１印刷制御部は、前記画像形成順に基づいて、前記複数の搬送速度を切り換えつつ前記取得部が受け取っている前記複数の画像データを前記画像形成部に出力する。前記後処理装置は、後処理側搬送部と、経路切り換え部と、送出部と、を備える。前記後処理側搬送部は、前記複数の印刷物を、後処理側搬送経路及び前記後処理側搬送経路から分岐する第１個別経路及び第２個別経路を介して第１積載部及び第２積載部にそれぞれ送り込む。前記経路切り換え部は、前記第１個別経路及び前記第２個別経路を選択的に開閉する。前記送出部は、前記第２積載部内の前記印刷物を前記第２個別経路に送り出す。前記画像形成装置及び前記後処理装置のいずれかは、搬送制御部と、並び替え制御部と、を備える。前記搬送制御部は、前記画像形成順に基づいて前記後処理搬送部及び前記経路切り換え部を制御することにより、前記複数の印刷物のそれぞれが前記後処理側搬送部によって前記第１積載部及び前記第２積載部のいずれかに送り込まれる。前記並び替え制御部は、前記並び順及び前記複数の画像データに割り当てられている前記搬送速度に基づき、前記経路切り換え部、前記送出部及び前記後処理側搬送部を制御することにより、前記第２積載部内の前記印刷物を前記第２個別経路を介して前記後処理側搬送経路に移動させ、前記後処理側搬送部を制御することにより、前記後処理側搬送経路上の前記印刷物を前記第１個別経路を介して前記第１積載部に移動させて、前記第１積載部内に前記複数の印刷物が前記並び順に積載される。
【発明の効果】
【００１０】
本発明によれば、より使い勝手の良い画像形成システム及び後処理装置を提供することができる。
【図面の簡単な説明】
【００１１】
【図１】図１は、本発明の一実施形態に係る画像形成システムの構成を示す模式図である。
【図２】図２は、画像形成指示の構成を示す模式図である。
【図３】図３は、図１に示す画像形成システムの機能ブロック図である。
【図４】図４は、図３に示す制御部の画像形成順設定処理及び画像形成処理の手順を示すフローチャートである。
【図５】図５は、搬送速度情報の構成を示す模式図である。
【図６】図６は、画像形成順を示す模式図である。
【図７】図７は、図４のステップＳ１０９の詳細な処理手順を示すフローチャートである。
【図８】図８は、図３に示す搬送制御部及び並び替え制御部の処理手順を示すフローチャートである。
【図９】図９は、図１に示す導入口から選択第２積載部に至る経路の第１例を示す模式図である。
【図１０】図１０は、図１に示す導入口から選択第２積載部に至る経路の第２例を示す模式図である。
【図１１】図１１は、図１に示す第２個別経路を後処理側搬送経路で停止する印刷物を示す模式図である。
【図１２】図１２は、図１に示す第１個別経路を介して第１積載部に送り込まれる印刷物を示す模式図である。
【発明を実施するための形態】
【００１２】
以下、添付図面を参照しながら、本発明の各実施形態について説明し、本発明の理解に供する。なお、以下の実施形態は、本発明を具体化した一例であって、本発明の技術的範囲を限定するものではない。
【００１３】
［実施形態］
図１において、画像形成システム１は、画像形成装置２を備える。
【００１４】
画像形成装置２は、例えば、複写機、プリンタ、ファクシミリ又は複合機である。前記複合機は、コピー機能、印刷機能及びファクス機能等を有する。
【００１５】
また、画像形成装置２は、制御部２１と、画像形成側搬送経路２２と、画像形成側搬送部２３と、画像形成部２４と、を備える。なお、以下、画像形成側搬送経路２２及び画像形成側搬送部２３を、搬送経路２２及び搬送部２３と略記する。
【００１６】
制御部２１は、ＣＰＵ、ＲＯＭ、ＲＡＭ及び不揮発性メモリー等を含む集積回路等である。前記ＣＰＵは、ＲＯＭに予め格納されているプログラムを、ＲＡＭを作業領域として使いながら実行する。不揮発性メモリーには、前記ＣＰＵにより各種データが記録される。これにより、前記ＣＰＵは画像形成装置２及び後処理装置３を統括的に制御し、後述の各種処理を実行する。
【００１７】
なお、制御部２１は、ＡＳＩＣ（Application Specific Integrated Circuit）又はＤＳＰ(Digital Signal Processor)などの電子回路であってもよい。
【００１８】
また、制御部２１は、画像形成装置２に限らず、後述の後処理装置３に設けられていても構わない。他にも、制御部２１は、それぞれがＣＰＵ等を有する第１集積回路及び第２集積回路を含んでいてもよい。この場合、前記第１集積回路は、画像形成装置２に設けられて、前記画像形成処理を実行し、前記第２集積回路は、後述の後処理装置３に設けられて、後述の並べ替え処理を実行してもよい。
【００１９】
図１において、搬送経路２２には、複数の給送部２５により供給トレイ２６上のシートが１枚ずつ順次送り込まれる。
【００２０】
搬送部２３は、複数のローラー対と駆動モーターとを含み、予め定められている複数の搬送速度Ｖのうち制御部２１により選択される搬送速度Ｖで、搬送経路２２上に送り出されている前記複数のシートを画像形成部２４に順次搬送する。
【００２１】
複数の搬送速度Ｖは全速及び半速を含む。前記全速及び前記半速は、画像形成装置２において低解像度（６００ｄｐｉ等）及び高解像度（１２００ｄｐｉ等）の画像が前記シート上に形成される際にそれぞれ使用される。
【００２２】
画像形成部２３は、感光体ドラム、帯電器、露光装置、現像器、転写器及び定着器等を備え、電子写真方式による画像形成を実行する。具体的には、画像形成部２３は、制御部２１により順次入力される複数の画像データに基づく複数の画像を、搬送経路２２の上流側より所定の搬送速度Ｖで搬送されてくる前記複数のシート上に順次形成する。ここで、所定の搬送速度Ｖは、制御部２１により切り換えられて１つずつ設定される前記複数の搬送速度Ｖである。
【００２３】
本実施形態では、１つの前記画像データは１枚の前記シートに形成される画像を表す。前記複数の画像データは、前記複数のシートに形成される画像を表す。
【００２４】
なお、画像形成部２３はインクジェット方式により画像を形成してもよい。また、画像形成部２３はタンデム方式又は４サイクル方式によりカラー画像を形成してもよい。
【００２５】
画像形成部２３は、前記複数の画像が形成済の前記複数のシートを複数の印刷物として、搬送経路２２に下流側に順次送り出す。
【００２６】
搬送経路２２は、画像形成部２３の下流側において予め定められている画像形成側分岐箇所にて、排出口側個別経路２２Ａと、中継口側個別経路２２Ｂとに分岐している。排出口側個別経路２２Ａは排出口２７に至り、中継口側個別経路２２Ｂは中継口２８に至っている。
【００２７】
前記画像形成側分岐箇所には、画像形成側フラップ２９が設けられている。以下、画像形成側フラップ２９をフラップ２９と略記する。フラップ２９は、制御部２１による制御の下で揺動させられることにより、排出口側個別経路２２Ａ及び中継口側個別経路２２Ｂの上流側端部を選択的に開閉する。
【００２８】
画像形成装置２において、制御部２１は、図示しない情報処理装置からの画像形成指示を受け付ける。また、画像形成指示４は、図２に示すように、異なる解像度で作成されている複数の画像データ４１を解像度混在データ４１として含む場合がある。
【００２９】
画像形成指示４は、解像度混在データ４１を含む場合、複数の画像データ４１のそれぞれに対する並び順情報４２及び解像度情報４３を含む。
【００３０】
並び順情報４２は、解像度混在データ４１に基づき生成される複数の印刷物の並び順を示し、前記情報処理装置側で定められている。具体的には、前記並び順は、複数の画像データ４１が文書等を表す場合においてはページ順である。
【００３１】
また、解像度情報４３は、複数の画像データ４１それぞれの解像度を示す。解像度情報４３は、対応する画像データ４１が白黒２階調の画像を表す場合には高解像度を示し、対応する画像データ４１が白黒２５６階調の画像を表す場合には低解像度を示す。
【００３２】
解像度情報４３が前記高解像度を示している場合には、対応する前記画像データには前記半速が制御部２１により設定され、解像度情報４３が前記低解像度を示している場合には、対応する前記画像データには前記全速が制御部２１により設定される。
【００３３】
仮に、画像形成部２４が、解像度混在データ４１に対し前記並び順に従って前記複数のシートに形成すると、制御部２１による搬送速度Ｖの切り換えが頻繁に発生し、画像形成装置２の生産性が低下するおそれがある。
【００３４】
そこで、制御部２１は、解像度混在データ４１に対しては、前記並び順に従って画像形成を実行するのではなく、画像形成順を設定するための画像形成順設定処理を実行した後に、前記画像形成順に従って画像形成処理を実行する。
【００３５】
また、画像形成指示４は、図２に示すように許可情報４４をさらに含む。許可情報４４は、前記情報処理装置が前記ユーザーの操作に基づいて設定し、前記画像形成順設定処理の実行を許可するか否かを示す。
【００３６】
制御部２１は、前記プログラムの実行により、図３に示すように、取得部２１Ａ、判断部２１Ｂ、通知出力部２１Ｃ、印刷順設定部２１Ｄ、第１印刷制御部２１Ｅ及び第２印刷制御部２１Ｆとして機能する。
【００３７】
以下、前記画像形成順設定処理及び前記画像形成処理について、図２〜図７を参照して詳細に説明する。
【００３８】
取得部２１Ａは、画像形成指示４を受け取ると、画像形成指示４に含まれる画像データ４１が１つか否かを判断する（図４のステップＳ１０１）。取得部２１Ａは、画像データ４１が１つと判断する場合、処理を後述のステップＳ１１０に進める。一方、取得部２１Ａは、画像データ４１が複数であると判断する場合、処理をステップＳ１０２に進める。
【００３９】
次に、取得部２１Ａは、画像形成指示４から、複数の画像データ４１、並び順情報４２、解像度情報４３及び許可情報４４を取り出して前記ＲＡＭ等に格納する（ステップＳ１０２）。これにより、取得部２１Ａは、前記複数の画像データ４１に基づく複数の印刷物の並び順を、複数の画像データ４１、解像度情報４３及び許可情報４４と共に取得する。その後、取得部２１Ａは処理をステップＳ１０３に進める。
【００４０】
ステップＳ１０３〜ステップＳ１０５により、判断部２１Ｂは、前記画像形成順の設定を実行するか否かを判断する。
【００４１】
まず、判断部２１Ｂは、前記ＲＡＭ内の許可情報４４が前記画像形成順設定処理の実行を許可することを示しているか否かを判断する（ステップＳ１０３）。判断部２１Ｂは、許可情報４４が許可することを示していないと判断する場合、処理を後述のステップＳ１１０に進める。一方、判断部２１Ｂは、許可情報４４が許可することを示していると判断する場合、処理をステップＳ１０４に進める。
【００４２】
次に、判断部２１Ｂは、並び順情報４２及び解像度情報４３に基づいて切り換え回数を導出する（ステップＳ１０４）。前記切り換え回数は、前記並び順に従って画像形成を実行すると仮定した場合に、前記搬送速度Ｖの切り換えが何回発生するかを示す。
【００４３】
具体的には、判断部２１Ｂは、前記並び順情報４２が示す並び順に従って、解像度情報４３が示す複数の画像データ４１の解像度を確認し、当該解像度が変化する回数を前記切り換え回数として計数する。なお、図２には、前記解像度が変化する箇所が矢印Ｘにより示されている。
【００４４】
次に、判断部２１Ｂは、前記設定回数が予め定められている設定回数閾値以上か否かを判断する（ステップＳ１０５）。前記設定回数閾値は、前記複数の搬送速度Ｖの個数に相当し、予め定めれている。前記搬送速度Ｖとして前記全速及び前記半速が設定されている場合、前記設定回数閾値は２である。
【００４５】
判断部２１Ｂは、前記設定回数閾値以上でないと判断する場合、前記画像形成順設定処理を実行する必要がないとして、処理を後述のステップＳ１１０に進める。一方、判断部２１Ｂは、前記設定回数閾値以上であると判断する場合、処理をステップＳ１０６に進める。
【００４６】
次に、通知出力部２１Ｂは、前記画像形成順設定処理が実行されることを文字列又は画像等で示す通知データを出力する（ステップＳ１０６）。ここで、画像形成装置２は、図３に示すように出力部２１１を備える。出力部２１１は、液晶ディスプレー等であり、入力通知データに基づき、前記文字列又は前記画像を表示する。これにより、画像形成システム１の周囲にいる者に、前記画像形成順設定処理の実行が通知される。なお、前記通知データは音声等であってもよい。この場合、画像形成装置２は、液晶ディスプレーではなくスピーカーを出力部２１１として備えることになる。
【００４７】
次に、印刷順設定部２１Ｄは、前記画像形成順設定処理を実行する。具体的には、印刷順設定部２１Ｄは、複数の画像データ４１のそれぞれに対し、解像度情報４３に基づいて、複数の搬送速度Ｖの１つを割り当てる（ステップＳ１０７）。
【００４８】
具体的には、前記複数の画像データ４１のうち、解像度情報４３が前記高解像度を示している画像データ４１には前記半速が、解像度情報４３が前記低解像度を示している画像データ４１には前記全速が設定される。
【００４９】
上記のように、前記高解像度の前記画像データ４１には前記全速が設定されない。これにより、画像形成装置２には、低コストの画像形成部２４を用いることが可能となる。
【００５０】
ステップＳ１０７において、印刷順設定部２１Ｄはさらに、搬送速度情報５を作成してＲＡＭ等に格納する。図５に示すように、搬送速度情報５には、複数の画像データ４１の前記並び順における順番毎に当該画像データ４１に割り当てられている搬送速度が記述されている。
【００５１】
次に、印刷順設定部２１Ｄは、前記並び順情報と、前記複数の画像データ４１に設定されている搬送速度Ｖとに基づき、当該複数の画像データ４１を画像形成部２４に出力すべき順序である画像形成順を設定する（ステップＳ１０８）。
【００５２】
具体的には、印刷順設定部２１Ｄは、下記の３条件（ａ）〜（ｃ）を満たす画像形成順を複数の画像データ４１に設定する。条件（ａ）は、図６に示すように、前記画像形成順において同一の搬送速度Ｖが設定されている複数の画像データ４１の順番が連続することである。条件（ｂ）は、同一搬送速度Ｖが設定されている複数の画像データ４１においては、前記並び順が先頭に近い画像データ４１ほど、前記画像形成順が先頭に近い順番が設定されることである。条件（ｃ）は、低速な搬送速度Ｖが設定されている画像データ４１ほど、前記画像形成順が先頭に近いことである。
【００５３】
条件（ｃ）により、前記画像形成順の末尾の順番は、最高速の搬送速度Ｖ（即ち全速）が設定されている画像データ４１に印刷順設定部２１Ｄにより設定されることになる。画像形成装置２において前記画像形成処理は前記全速で実行される頻度が高いことがある。したがって、解像度混在データ４１を含む画像形成指示４に基づく前記画像形成処理の後に、別の画像形成指示４１に基づく前記画像形成処理を連続して実行する場合に、画像形成装置１において搬送速度Ｖの切り換えが実施される可能性を低減できる。
【００５４】
また、条件（ｃ）により、前記画像形成順において、複数の搬送速度Ｖは昇順に並ぶことになる。
【００５５】
なお、条件（ｃ）に関しては、他にも、低速以外の搬送速度Ｖが割り当てられている画像データ４１ほど、前記画像形成順が先頭に近いことであってもよい。
【００５６】
印刷順設定部２１Ｄは、前記画像形成順の設定後、処理をステップＳ１０９に進める。
【００５７】
次に、第１印刷制御部２１Ｅは、前記画像形成順に基づいて、複数の搬送速度Ｖを切り換えつつ、前記ＲＡＭ内の複数の画像データ４１を画像形成部２４に出力する（ステップＳ１０９）。
【００５８】
図７は、ステップＳ１０９の詳細な処理手順を示すフローチャートである。
【００５９】
図７において、第１印刷制御部２１Ｅは、複数の搬送速度Ｖのうち下記の３条件（ｄ）〜（ｆ）を満たす１つの搬送速度Ｖを選択搬送速度Ｖとして選択する（ステップＳ２０１）。条件（ｄ）は、ステップＳ１０７で設定されている複数の搬送速度Ｖであることである。条件（ｅ）は、ステップＳ２０１において選択されていない搬送速度Ｖ（以下、未選択搬送速度Ｖという）であることである。条件（ｆ）は、未選択搬送速度Ｖのうち最低速の搬送速度Ｖであることである。
【００６０】
次に、第１印刷制御部２１Ｅはフラップ２９の揺動を制御する（ステップＳ２０２）。これにより、フラップ２９が排出口側個別経路２２Ａの上流側端部を閉じる。
【００６１】
次に、第１印刷制御部２１Ｅは、搬送部２３の駆動を制御する（ステップＳ２０３）。これにより、搬送部２３は選択搬送速度Ｖで前記複数のシートを搬送する。
【００６２】
次に、第１印刷制御部２１Ｅは、下記の３条件（ｇ）〜（ｉ）を満たす１つの画像データ４１を、選択画像データ４１として選択する（ステップＳ２０４）。条件（ｇ）は、選択搬送速度Ｖが設定されている画像データ４１であることである。条件（ｈ）は、条件（ｇ）を満たす画像データ４１のうち、ステップＳ２０４で選択されていない画像データ４１（以下、未選択画像データ４１という）であることである。条件（ｉ）は、未選択画像データ４１のうち、先頭の前記画像形成順が設定されている画像データ４１である。
【００６３】
次に、第１印刷制御部２１Ｅは、選択画像データ４１を画像形成部２４に出力する（ステップＳ２０５）。画像形成部２４は、入力選択画像データ４１に基づく画像を、搬送経路２２を搬送されるシート上に形成して、搬送経路２２に印刷物として送り出す。前記印刷物は、搬送部２３により、搬送経路２２上を中継口２８に向けて搬送される。
【００６４】
次に、第１印刷制御部２１Ｅは、選択搬送速度Ｖが設定されている未選択画像データ４１が残っているか否かを判断する（ステップＳ２０６）。第１印刷制御部２１Ｅは、未選択画像データ４１が残っていると判断する場合、ステップＳ２０４を再度実行する。この場合、第１印刷制御部２１Ｅは、前記画像形成順に従って、同一搬送速度Ｖが設定されている画像データ４１を画像形成部２４に連続的に出力することになる。一方、第１印刷制御部２１Ｅは、未選択画像データ４１が残っていないと判断する場合、処理をステップＳ２０７に進める。
【００６５】
第１印刷制御部２１Ｅは、未選択搬送速度Ｖが残っているか否かを判断する（ステップＳ２０７）。第１印刷制御部２１Ｅは、未選択搬送速度Ｖが残っていると判断する場合、ステップＳ２０１を再度実行する。したがって、第１印刷制御部２１Ｅは、未選択搬送速度Ｖが残っていると判断した直後の切換タイミングで、搬送部２３の搬送速度を、当該切換タイミングの前の選択搬送速度Ｖよりも高速な搬送速度Ｖに切り換える。一方、第１印刷制御部２１Ｅは、未選択搬送速度Ｖが残っていないと判断する場合、図７の処理を終了する。
【００６６】
前記画像形成順設定処理後に前記画像形成処理が実行されることで、搬送部２３における搬送速度Ｖの切り換え回数が、並び順情報４２が示す前記並び順に従って画像形成を実行する場合よりも低減するため、画像形成装置２の生産性を向上させることができる。
【００６７】
また、第１印刷制御部２１Ｅは、前記切換タイミングが到来するたびに、搬送部２３の搬送速度Ｖを昇順に切り換える。即ち、前記切換タイミングの到来後、搬送速度Ｖは、切り換え前よりも高速な搬送速度Ｖに切り換えられる。逆に言えば、図７の処理を実行中には搬送速度Ｖは低下しない。もし搬送速度Ｖの低下が起こると、前記ユーザーは画像形成装置２に不具合が生じたと考える可能性がある。しかし、画像形成装置２では搬送速度Ｖが昇順に切り換えられるため、前記可能性を低減することができる。
【００６８】
再度、図４を参照する。ステップＳ１１０において、第２印刷制御部２１Ｆは、下記の印刷制御を行う。
【００６９】
具体的には、第２印刷制御部２１Ｆは、解像度情報４３に基づき、複数の搬送速度Ｖから少なくとも１つの搬送速度Ｖを選択する。搬送部２３は、第２印刷制御部２１Ｆにより選択されている搬送速度Ｖで前記複数のシートを搬送する。
【００７０】
第２印刷制御部２１Ｆはフラップ２９の揺動を制御し、フラップ２９は中継口側個別経路２２Ｂの上流側端部を閉じる。
【００７１】
第２印刷制御部２１Ｆは、画像形成指示４に含まれる１又は複数の画像データを画像形成部２４に出力する。画像形成部２４は、入力画像データ４１に基づく画像を、搬送経路２２を搬送されるシート上に形成して、搬送経路２２に印刷物として順次送り出す。前記印刷物は、搬送部２３により搬送経路２２上を搬送され、排出口２７から、画像形成装置２に設けられている排出部２１０に排出される。
【００７２】
上記の通り、前記画像形成順設定処理を実行しないと判断部２１Ｂが判断する場合に、第２印刷制御部２１ＦがステップＳ１１０を実行する。これにより、第１印刷制御部２１Ｅが不必要な前記画像形成順設定処理を実行することが無くなるため、画像形成装置２の生産性を向上させることができる。
【００７３】
なお、複数の搬送速度Ｖとしては、前記全速及び前記半速に加えて、これらの中間速（３／４速等）を含んでいてもよい。この場合、解像度情報４３は、対応する画像データ４１が白黒２階調の画像を表す場合には高解像度を示し、対応する画像データ４１がカラー画像を表す場合には低解像度を示し、対応する画像データ４１が白黒２５６階調の画像を表す場合には、前記高解像度及び前記低解像度の中間解像度を示す。また、印刷順設定部２１Ｄは、ステップＳ１０９において、前記高解像度の画像データ４１には前記半速を、前記中間解像度の画像データ４１には前記中間速を、前記低解像度の画像データ４１には前記全速を設定する。
【００７４】
また、前記全速及び前記半速は、前記シートとしての薄紙（普通紙等）及び厚紙（コート紙）に前記画像が形成される際にそれぞれ使用されてもよい。この場合、画像形成指示４は、解像度情報４３に代えて、画像データ４１毎に使用すべきシートを示すシート種別情報を含むことになる。また、印刷順設定部２１Ｄは、ステップＳ１０９において、前記厚紙に印刷される画像データ４１には前記半速を、前記薄紙に印刷される画像データ４１には前記全速を設定する。
【００７５】
ところで、前記画像形成順設定処理が実行される場合、画像形成部２４からは、前記画像形成順に従って複数の印刷物が順次出力される。もし、画像形成装置２が前記複数の印刷物を前記画像形成順で外部に排出してしまうと、画像形成装置２には、使い勝手の面で問題が生じる。
【００７６】
例えば、前記情報処理装置は、ユーザー操作に従って、並び順情報４２により前記複数の印刷物としての並び順が定められている複数の画像データ４１を画像形成装置２に送信することがある。この場合、前記ユーザーは、画像形成システム１から前記複数の印刷物を取り出した後に前記並び順に並び替える必要が生じる。
【００７７】
他にも、ステープル又はブックレット等を実行する後処理装置を画像形成装置２に追加することが難しくなる。
【００７８】
そこで、画像形成システム１は、図１に示すように、前記画像形成順で中継口２８から排出される複数の印刷物を、前記並び順情報４２が示す前記並び順に並び替える後処理装置３を備える。
【００７９】
図１，図３に示すように、後処理装置３は、後処理側搬送経路３１と、複数の経路切り換え部３２と、後処理側搬送部３３と、第１積載部３４と、複数の第２積載部３５と、複数の送出部３６と、を備える。なお、以下、後処理側搬送経路３１及び後処理側搬送部３３を、搬送経路３１及び搬送部３３と略記する。
【００８０】
搬送経路３１の上流側端部は、中継口２８と連通する導入口３７である。導入口３７には、中継口２８から複数の印刷物が順次送り込まれる。なお、図１では、図示の都合上、中継口２８と導入口３７とは離れて示されている。
【００８１】
搬送経路３１は、導入口３７の下流側において予め定められている複数の後処理側分岐箇所において、第１個別経路３１Ａと、複数の第２個別経路３１Ｂとに分岐している。第１個別経路３１Ａは第１積載部３４に至り、複数の第２個別経路３１Ｂは複数の第２積載部３５に至っている。ここで、複数の第２個別経路３１Ｂは、少なくとも、搬送速度Ｖの数に相当する数だけ設けられている。
【００８２】
以下では、搬送速度Ｖは全速及び半速の２つであるとして、説明を続ける。この場合、下流側の後処理側分岐箇所において、搬送経路３１は、第１個別経路３１Ａと、一方の第２個別経路３１Ｂに分岐し、上流側の後処理側分岐箇所において、搬送経路３１は、他方の第２個別経路３１Ｂに分岐する。
【００８３】
前記複数の後処理側分岐箇所には、複数の経路切り換え部３２が１つずつ設けられている。複数の経路切り換え部３２はフラップである。複数の経路切り換え部３２は、制御部２１による制御の下で揺動させられることにより、第１個別経路３１Ａ及び複数の第２個別経路３１Ｂの上流側端部を選択的に開閉する。
【００８４】
また、搬送経路３１上には、光透過型センサー等である複数の通過センサー３８が設けられている。具体的には、複数の通過センサー３８は、複数の後処理側分岐箇所を基準として搬送経路３１の上流側に向かって予め定められている複数の基準位置Ｐに設けられる。但し、下流側の通過センサー３８は、上流側の後処理側分岐箇所よりも下流側に設けられる。
【００８５】
複数の通過センサー３８は、自身が設けられている基準位置Ｐを、前記印刷物が通過しているか否かを示す検出信号を制御部２１に送信する。
【００８６】
搬送部３３は、複数のローラー対及び駆動モーターを含み、予め定められている複数の搬送速度Ｖのうち制御部２１により選択される搬送速度Ｖで、搬送経路３１並びに第１個別経路３１Ａ及び複数の第２個別経路３１Ｂを介して、複数の印刷物を第１積載部３４及び複数の第２積載部３５に送り込む。
【００８７】
なお、搬送部３３は、制御部２１の制御下で、搬送経路３１上の複数の印刷物を導入口３７に向けて搬送することもできる。
【００８８】
第１積載部３４は第１個別経路３１Ａの下流端に設けられ、複数の第２積載部３５は、複数の第２個別経路３１Ｂの下流端に１つずつ設けられている。第１積載部３４及び複数の第２積載部３５には、第１個別経路３１Ａ及び複数の第２個別経路３１Ｂを搬送されてくる前記複数の印刷物が送り込まれる。
【００８９】
また、複数の第２積載部３５のそれぞれには互いに異なる搬送速度Ｖが１つずつ予め割り当てられている。具体的には、上流側の第２積載部３５には半速が割り当てられ、下流側の第２積載部３５には全速が割り当てられる。また、前記不揮発性メモリー等には、複数の第２積載部３５のそれぞれに割り当てられている搬送速度Ｖがテーブルで記述されて格納されている。
【００９０】
複数の送出部３６は、複数の第２積載部３５において、前記画像が形成されている前記印刷物の記録面と対向する壁３５Ａに１つずつ設けられている。複数の送出部３６のそれぞれは、制御部２１により駆動され、壁３５Ａに当接する前記印刷物を、第２個別経路３１Ｂに送り出す。
【００９１】
また、後処理装置３の各部を制御するため、制御部２１は、前記プログラムを実行することにより、図３に示すように、搬送制御部２１Ｇと、並び替え制御部２１Ｈとして機能する。
【００９２】
以下、搬送制御部２１Ｇ及び並び替え制御部２１Ｈの処理について、図８〜図１２を参照して詳細に説明する。
【００９３】
搬送制御部２１Ｇは、第１印刷制御部２１ＥがステップＳ１０９の実行を開始と同時に、図８の処理を開始する。
【００９４】
まず、搬送制御部２１Ｇは、前記画像形成順に基づき、ステップＳ２０１と同じ選択搬送速度Ｖを選択し、前記画像形成順に基づいて搬送部３３の駆動を制御する（ステップＳ３０１）。これにより、搬送部３３は、選択搬送速度Ｖで、導入口３７に順次送り込まれる前記複数の印刷物を搬送経路３１の下流方向に向けて搬送する。
【００９５】
次に、搬送制御部２１Ｇは、前記画像形成順に基づいて、前記複数の経路切り換え部３２を制御する（ステップＳ３０２）。
【００９６】
具体的には、搬送制御部２１Ｇは、前記テーブルに従って、選択搬送速度Ｖが割り当てられている第２積載部３５を、選択第２積載部３５として選択する。
【００９７】
次に、搬送制御部２１Ｇは、複数の経路切り換え部３２を揺動させることにより、搬送経路３１には、導入口３７から選択第２積載部３５に至る経路Ｒ１（図９を参照）が形成される。これにより、ステップＳ３０１における選択搬送速度Ｖで搬送される印刷物が、ステップＳ３０２での選択第２積載部３５に順次送り込まれ始める。
【００９８】
例えば、選択第２積載部３５が上流側の第２積載部３５の場合、上流側の経路切り換え部３２が第２個別経路３１Ｂを開閉し、これにより、図９において鎖線で示すような経路Ｒ１が形成される。
【００９９】
搬送制御部２１Ｇは、前記画像形成順に基づき、選択第２積載部３５に送り込む印刷物の数を積載数として導出する（ステップＳ３０３）。前記積載数は、前記画像形成順において、選択搬送速度Ｖが設定されている画像データ４１の数である。
【０１００】
搬送制御部２１Ｇは、上流側の通過センサー３８からの前記検出信号を受信し、上流側の基準位置Ｐを通過した前記印刷物の枚数を通過枚数として周期的にカウントする（ステップＳ３０４）。
【０１０１】
搬送制御部２１Ｇは、前記通過枚数が前記積載数未満であるか否かを判断する（ステップＳ３０５）。前記通過枚数が前記積載数未満であると判断する場合、搬送制御部２１Ｇは、ステップＳ３０４を再度実行する。一方、前記通過枚数が前記積載数未満でないと判断する場合、処理をステップＳ３０６に進める。
【０１０２】
図８の処理開始からステップＳ３０５において前記通過枚数が前記積載数未満でないと判断されるまでの間に、選択第２積載部３５には、同一搬送速度Ｖで搬送される前記複数の印刷物が前記画像形成順に従って積載されていく。
【０１０３】
ステップＳ３０６において、搬送制御部２１Ｇは、ステップＳ２０７と同様に、未選択搬送速度Ｖが残っているか否かを判断する。
【０１０４】
搬送制御部２１Ｇは、未選択搬送速度Ｖが残っていると判断する場合、ステップＳ３０１を再度実行する。したがって、搬送部３３の搬送速度Ｖは、搬送部２３の搬送速度Ｖと同様、切換タイミングの前の選択搬送速度Ｖよりも高速な搬送速度Ｖに切り換える。選択搬送速度Ｖの切り換え後、選択第２積載部３５が下流側の第２積載部３５の場合、上流側の経路切り換え部３２が上流側の第２個別経路Ｂを塞ぎ、下流側の経路切り換え部３２が第２個別経路３１Ｂを開閉し、これにより、図１０に示すような経路Ｒ１が形成される。
【０１０５】
一方、搬送制御部２１Ｇは、未選択搬送速度Ｖが残っていないと判断する場合、処理をステップＳ３０７に進める。これにより、複数の第２積載部３５のそれぞれには、搬送速度Ｖ毎に前記複数の印刷物が送り込まれ、前記画像形成順で積載されることになる。
【０１０６】
なお、搬送制御部２１Ｇは、ステップＳ３０１において第１印刷制御部２１Ｅから選択搬送速度Ｖを受け取り、受け取っている選択搬送速度Ｖに基づき、前記画像形成順に基づいて搬送部３３の駆動を制御してもよい。また、搬送制御部２１Ｇは、ステップＳ３０６において、ステップＳ２０７の判断結果を第１印刷制御部２１Ｅから受け取り、受け取っている判断結果に基づき未選択搬送速度Ｖが残っているか否かを判断してもよい。
【０１０７】
並び替え制御部２１Ｈは、未選択搬送速度Ｖが残っていないと判断された直後の並び替えタイミングで、前記並び順及び前記画像形成順に基づき複数の経路切り換え部３２、複数の送出部３６及び搬送部３３の制御を開始する。即ち、並び替え制御部２１Ｈは、複数の積載部３５に全ての印刷物が収容されてから前記制御を開始する。これにより、搬送制御部２１Ｇは、自身の制御の最中に、搬送経路３１上の前記複数の印刷物の間隔を調整する必要性が低減し、画像形成装置２側での生産性が低減することを抑制できる。
【０１０８】
まず、ステップＳ３０７において、並び替え制御部２１Ｈは、前記並び順及び前記複数の画像データに割り当てられている前記搬送速度に基づき、複数の第２積載部３５の中から１つを移動元第２積載部３５として選択する。
【０１０９】
具体的には、搬送速度情報５には、前記並び順の順番毎に前記複数の搬送速度Ｖの１つが記述されている。並び替え制御部２１Ｈは、搬送速度情報５から、ステップＳ３０７で未選択の順番において最も先頭の順番を選択し、選択している順番に対応する搬送速度Ｖを読み出す。並び替え制御部２１Ｈは、前記テーブルに従って、読み出されている搬送速度Ｖが割り当てられている第２積載部３５を、移動元第２積載部３５として選択する。
【０１１０】
次に、並び替え制御部２１Ｈは、移動元第２積載部３５に対応する第２個別経路３１Ｂの後処理側分岐箇所に設けられている経路切り換え部３２を制御することにより、当該上流側端部を開閉させる。また、並び替え制御部２１Ｈは、後処理側分岐箇所の直ぐ上流側に設けられている通過センサー３８からの検出信号を受信し始める（ステップＳ３０８）。
【０１１１】
次に、並び替え制御部２１Ｈは、移動元第２積載部３５に設けられている送出部３６と、搬送部３３を制御する（ステップＳ３０９）。この制御により、送出部３６は、移動元第２積載部３５において壁３５Ａに当接する１枚の前記印刷物を第２個別経路３１Ｂを送り出し、搬送部３３は、図１１に示すように、当該第２個別経路３１Ｂに送り出されている前記印刷物を、搬送経路３１の上流端側に向けて搬送する。なお、図１１中、印刷物には参照符号Ｓを付して示されている。
【０１１２】
次に、並び替え制御部２１Ｈは、ステップＳ３０８で受信し始める前記検出信号に基づき、前記印刷物の搬送方向における後端が基準位置Ｐを通過しているか否かを判断する（ステップＳ３１０）。並び替え制御部２１Ｈは、前記印刷物が基準位置Ｐを通過していると判断しない場合、ステップＳ３１０を再度実行する。一方、並び替え制御部２１Ｈは、前記印刷物が基準位置を通過していると判断する場合、処理をステップＳ３１１に進める。
【０１１３】
次に、並び替え制御部２１Ｈは、複数の移動元第２積載部３５に設けられている送出部３６と、搬送部３３との駆動を停止させることにより、図１１に示すように搬送経路３１上の印刷物を停止させる（ステップＳ３１１）。
【０１１４】
次に、並び替え制御部２１Ｈは、複数の経路切り換え部３２を制御することにより、搬送経路３１上には、図１２に示すように、前記印刷物の停止位置から第１積載部３４に至る経路が形成される（ステップＳ３１２）。なお、図１２中、印刷物には参照符号Ｓを付して示されている。
【０１１５】
次に、並び替え制御部２１Ｈは搬送部３３を制御し、搬送部３３は搬送経路３１上の前記印刷物を前記停止位置から、搬送経路３１及び第１個別経路３１Ａを介して第１積載部３４に送り込む（ステップＳ３１３）。
【０１１６】
次に、並び替え制御部２１Ｈは、搬送速度情報５においてステップＳ３０７で未選択の順番が残っているか否かを判断する（ステップＳ３１４）。並び替え制御部２１Ｈは、前記未選択の順番が残っていると判断する場合、ステップＳ３０７を再度実行する。一方、並び替え制御部２１Ｈは、前記未選択の順番が残っていると判断しない場合、図８の処理を終了する。
【０１１７】
ステップＳ３０７〜Ｓ３１４の処理を繰り返すことにより、複数の第２積載部３５内の前記複数の印刷物が前記並び順に従って第１積載部３４に積載される。第１積載部３４内の前記複数の印刷物は、後処理装置３の排出部３９にそのまま排出されてもよい。他にも、第１積載部３４内の複数の印刷物は、後処理装置３に搭載可能な周知のステープラー又は中綴じ装置により、ステープル処理又はブックレット処理されてもよい。
【０１１８】
後処理装置３により、前記画像形成順に送り込まれる前記複数の印刷物が、前記並び順に第１積載部３４に並び替えられるため、より使い勝手の良い画像形成システム１を提供することが可能となる。例えば、前記ユーザーは、排出部３９に排出される前記複数の印刷物を並び替える必要がなくなる。他にも、後処理装置３が前記搬送制御部２１Ｇ及び前記並び替え制御部２１Ｈを備えることにより、画像形成装置２が前記画像形成順設定処理を行う場合でも、ステープル処理又はブックレット処理を簡単に行うことが可能となる。
【０１１９】
［他の実施形態（その１）］
以下、本発明に係る他の実施形態について説明する。なお、以下に説明する他の実施形態において、前記実施形態の構成に相当するものには同一参照符号を付与し、それぞれの説明を控える。
【０１２０】
取得部２１Ａは、１又は複数の情報処理装置から、複数の画像形成指示４を受け取る。複数の画像形成指示４のそれぞれは、１又は複数の画像データ４１と、当該画像データ４１の解像度を示す解像度情報４３と、を含む。
【０１２１】
次に、取得部２１Ａは、ステップＳ１０２において、予め定められている期間において、複数の画像形成指示４を受け取る順番を並び順情報４２として作成し、各画像形成指示４に含まれる画像データ４１等と共に前記ＲＡＭ等に格納する。
【０１２２】
［他の実施形態（その２）］
後処理装置３において、第１積載部３４及び第２積載部３５の総数が搬送速度Ｖの数に相当していてもよい。この場合、搬送制御部２１Ｇは、前記並び順に沿わない前記印刷物を一時的に第２積載部３５に送り込み、前記並び順に沿う前記印刷物を第１積載部３４に送り込む。並び替え制御部２１Ｈは、第１積載部３４内に前記並び順に従って前記印刷物が積載される過程で、前記第２積載部３５内の前記印刷物を第１積載部３４に移動させることにより、第１積載部３４には前記複数の印刷物のすべてが前記並び順に従って積載される。
【符号の説明】
【０１２３】
１  画像形成システム
２  画像形成装置
２１  制御部
２１Ａ取得部
２１Ｂ  判断部
２１Ｃ  通知出力部
２１Ｄ  印刷順設定部
２１Ｅ  第１印刷制御部
２１Ｆ  第２印刷制御部
２１Ｇ  搬送制御部
２１Ｈ  並び替え制御部
２４  画像形成部
３  後処理装置
３１  後処理側搬送経路
３１Ａ  第１個別経路
３１Ｂ  第２個別経路
３２  経路切り換え部
３３  後処理側搬送部
３４  第１積載部
３５  第２積載部
３６  送出部
【図１】
2019055571.tif 000003
【図２】
2019055571.tif 000004
【図３】
2019055571.tif 000005
【図４】
2019055571.tif 000006
【図５】
2019055571.tif 000007
【図６】
2019055571.tif 000008
【図７】
2019055571.tif 000009
【図８】
2019055571.tif 000010
【図９】
2019055571.tif 000011
【図１０】
2019055571.tif 000012
【図１１】
2019055571.tif 000013
【図１２】
2019055571.tif 000014